(57)【特許請求の範囲】
【請求項１】
サイドドアと車両前後方向に対応する位置に、該サイドドアとの間に乗員が通行可能な空間を車幅方向にあけて設けられ、シートバックに対して着脱可能なヘッドレストを有する第１の後席シートを備え、該第１の後席シートのヘッドレストを取り外した状態で上記シートバックをシートクッションに対してリクライニングすることで第１の後席シートがフルフラット状態となるようにした車両用シート装置であって、
上記サイドドアは、車両前後方向にスライドさせて開閉を行うスライドドアであり、
上記第１の後席シートのシートクッションにおける上記サイドドア側の側面に、上記ヘッドレストが車幅方向に着脱可能な装着部が設けられていることを特徴とする車両用シート装置。
【請求項２】
請求項１記載の車両用シート装置において、
第１の後席シートは、車幅方向に配置された１対の座席シートからなり、
上記第１の後席シートの少なくともサイドドア側にある一方の座席シートが、他方との間に乗員が通行可能な空間が車幅方向にあくように車幅方向にスライド可能に構成されていることを特徴とする車両用シート装置。
【請求項３】
請求項１又は２記載の車両用シート装置において、
第１の後席シートは、運転席シート又は助手席シートの直ぐ後方に配置され、
上記第１の後席シートの後方に第２の後席シートが設けられていることを特徴とする車両用シート装置。
【請求項４】
請求項１〜３のいずれかに記載の車両用シート装置において、
第１の後席シートは、前後方向にスライド可能に構成されていることを特徴とする車両用シート装置。
【請求項５】
請求項１〜４のいずれかに記載の車両用シート装置において、
第１の後席シートのシートクッションに対して少なくとも２つのヘッドレストが装着可能に構成されていることを特徴とする車両用シート装置。
【請求項６】
請求項５記載の車両用シート装置において、
ヘッドレストは、第１の後席シートのシートバックに装着されているときの車幅方向が前後方向となりかつ互いに前後方向に略密着するようにシートクッションに装着され、
上記シートクッションに装着されたヘッドレストの前後方向のトータル長さが、該シートクッションと略対応していることを特徴とする車両用シート装置。
【請求項７】
請求項１〜６のいずれかに記載の車両用シート装置において、
シートクッションに装着されたヘッドレストのサイドドア側の端面における車幅方向の位置が、該第１の後席シートの直ぐ前に位置するシートにおけるシートバックのサイドドア側の側面と略対応していることを特徴とする車両用シート装置。
【発明の詳細な説明】
【０００１】
【発明の属する技術分野】
本発明は、シートバックに対して着脱可能なヘッドレストを有する後席シートを備え、該後席シートのヘッドレストを取り外した状態で上記シートバックをシートクッションに対してリクライニングすることで後席シートがフルフラットとなるようにした車両用シート装置に関する技術分野に属する。
【０００２】
【従来の技術】
近年、ＲＶ車等の車両において、シートのシートバックをシートクッションに対してリクライニングすることでそのシートがフルフラット状態となるようにした車両用シート装置はよく知られている。特に後席シートでは、車幅方向に連続してフルフラット状態にすることができるので、その使い勝手性を向上させることができる。このような車両用シート装置のシートは、通常、該シートのシートバックの上面に対して着脱可能なヘッドレストを有しており、そのヘッドレストがフルフラットの妨げにならないように、ヘッドレストを取り外した状態でシートバックをリクライニングすることでシートをフルフラット状態にする場合が多い。
【０００３】
一方、例えば実開昭６０−７２７４０号公報に示されているように、サイドバックパッドをシートバックの側面におけるタイヤハウス後方に対応する位置に装着することにより、フルフラット時にそのフルフラット面積を拡大するようにすることが提案されている。
【０００４】
また、上記ＲＶ車等の車両においては、シートとそのシートに車幅方向に隣接するシートとの間、又はシートと車室内の側面との間に、乗員が通行可能な空間をあけるようにすることが知られている（所謂ウォークスルータイプの車両）。
【０００５】
【発明が解決しようとする課題】
ところで、後席シートの側方に上記のようなウォークスルー空間を設けるようにした車両では、そのウォークスルー空間の分だけフルフラット面積が小さくなってしまう。そこで、その後席シートのヘッドレストをシートバックから取り外した状態で該シートバックをリクライニングすることで後席シートをフルフラット状態にしようとする場合には、上記提案例（実開昭６０−７２７４０号公報）の考え方を利用して、そのヘッドレストを上記ウォークスルーの空間に位置するように後席シートの側面に装着し、フルフラット面積を拡大させるようにすることが考えられる。
【０００６】
しかし、ヘッドレストを後席シートの側面に装着するためには、通常、ヘッドレストから突出している２本のステーをシートの側方から差し込むようにするが、このとき、その後席シートに車幅方向に隣接するシート又は車室内の側面が障害になるので、ヘッドレストの装着性が悪く、しかも、そのステーが突出している分だけヘッドレストを小さくしておく必要があり、十分にフルフラット面積を拡大することができないという問題がある。
【０００７】
本発明は斯かる点に鑑みてなされたものであり、その目的とするところは、後席シートの側方にウォークスルー空間を設けるようにした車両において、その後席シートのヘッドレストをシートバックから取り外した状態で該シートバックをリクライニングすることで後席シートがフルフラット状態となるようにして、フルフラット時にそのヘッドレストを後席シートに装着しようとする場合、その取り外したヘッドレストの後席シートへの装着位置を工夫することによって、そのヘッドレストの装着性を向上させると共に、フルフラット面積を十分に拡大することができるようにすることにある。
【０００８】
【課題を解決するための手段】
上記の目的を達成するために、この発明では、後席シートを、車両前後方向にスライドさせて開閉を行うスライドドアであるサイドドアと車両前後方向に対応する位置に、該サイドドアとの間に乗員が通行可能な空間を車幅方向にあけて設け、フルフラット時にその後席シートのヘッドレストを該後席シートのシートクッションにおける上記サイドドア側の側面に車幅方向に装着可能となるようにした。
【０００９】
具体的には、請求項１の発明では、サイドドアと車両前後方向に対応する位置に、該サイドドアとの間に乗員が通行可能な空間を車幅方向にあけて設けられ、シートバックに対して着脱可能なヘッドレストを有する第１の後席シートを備え、該第１の後席シートのヘッドレストを取り外した状態で上記シートバックをシートクッションに対してリクライニングすることで第１の後席シートがフルフラット状態となるようにした車両用シート装置を対象とする。
【００１０】
そして、上記サイドドアは、車両前後方向にスライドさせて開閉を行うスライドドアであり、上記第１の後席シートのシートクッションにおける上記サイドドア側の側面に、上記ヘッドレストが車幅方向に着脱可能な装着部が設けられているものとする。
【００１１】
上記の構成により、第１の後席シートがサイドドアと前後方向に対応する位置に設けられているので、その第１の後席シートをフルフラット状態にするときに、サイドドアを開けておけば、ヘッドレストをその大きさに関係なくシートクッションの側面に容易に装着することができる。また、フルフラット状態でない通常時は、第１の後席シートとサイドドアとの間を乗員が通行してその第１の後席シートの後ろ側に行くことができると共に、そのサイドドアから容易に乗降することができる。よって、通常時の乗降空間及びウォークスルー空間を確保しつつ、フルフラット時のヘッドレストの装着性を向上させかつフルフラット面積を十分に拡大することができる。
【００１２】
請求項２の発明では、請求項１の発明において、第１の後席シートは、車幅方向に配置された１対の座席シートからなり、上記第１の後席シートの少なくともサイドドア側にある一方の座席シートが、他方との間に乗員が通行可能な空間が車幅方向にあくように車幅方向にスライド可能に構成されているものとする。
【００１３】
この発明により、フルフラット状態でない通常時には第１の後席シートの両座席シート間にウォークスルー空間を設けることができ、どちらの座席シートの乗員も第１の後席シートの後ろ側に行き易くすることができる。また、両座席シートを当接させることで、サイドドア側にウォークスルー空間を設けることができる。よって、ウォークスルー空間の設定場所の自由度を高めることができる。
【００１４】
請求項３の発明では、請求項１又は２の発明において、第１の後席シートは、運転席シート又は助手席シートの直ぐ後方に配置され、上記第１の後席シートの後方に第２の後席シートが設けられているものとする。
【００１５】
このことで、第２の後席シートの乗員も第１の後席シートに対応するサイドドアから容易に乗降することができると共に、第１及び第２の後席シート間を自由に行き来することができる。よって、第１の後席シートとサイドドアとの間又は第１の後席シートの両座席シート間にウォークスルー空間を設ける意味合いがより一層高くなる。
【００１６】
請求項４の発明では、請求項１〜３のいずれかの発明において、第１の後席シートは、前後方向にスライド可能に構成されているものとする。こうすることで、ヘッドレストをシートクッションに装着し易い位置にスライドして調整することができると共に、第１又は第２の後席シートの乗員のサイドドアからの乗降をより一層行い易くすることができる。
【００１７】
請求項５の発明では、請求項１〜４のいずれかの発明において、第１の後席シートのシートクッションに対して少なくとも２つのヘッドレストが装着可能に構成されているものとする。このことにより、フルフラット面積をより一層有効に拡大することができる。
【００１８】
請求項６の発明では、請求項５の発明において、ヘッドレストは、第１の後席シートのシートバックに装着されているときの車幅方向が前後方向となりかつ互いに前後方向に略密着するようにシートクッションに装着され、上記シートクッションに装着されたヘッドレストの前後方向のトータル長さが、該シートクッションと略対応しているものとする。このようにすることで、フルフラット面積を有効かつ最大限に拡大することができる。
【００１９】
請求項７の発明では、請求項１〜６のいずれかの発明において、シートクッションに装着されたヘッドレストのサイドドア側の端面における車幅方向の位置が、該第１の後席シートの直ぐ前に位置するシートにおけるシートバックのサイドドア側の側面と略対応しているものとする。
【００２０】
この発明により、第１の後席シートの直ぐ前に位置するシートをもフルフラット状態にすることで、その前側のシートのシートバックと第１の後席シートのシートクッションないしヘッドレストとが前後方向に連続的に繋がるように構成することができ、フルフラット部分を使い勝手の良い形状とすることができる。
【００２１】
【発明の実施の形態】
以下、本発明の実施形態を図面に基づいて説明する。図１は、本発明の実施形態に係る車両用シート装置が搭載された車両１の全体を模式的に示し、この車両用シート装置は、前席シートとしての運転席シート３１及び助手席シート３６と、この運転席シート３１及び助手席シート３６の直ぐ後方に配置された第１の後席シート１１と、この第１の後席シート１１の後方に配置された第２の後席シート４１とを備えている。上記車両１の左右両側部における上記運転席シート３１及び助手席シート３６の側方には回転開閉式の前部サイドドア２，２がそれぞれ設けられ、この両前部サイドドア２，２のうちの助手席側の後方には、前後方向にスライドさせて開閉を行う後部サイドドア３が設けられている。また、上記第２の後席シート４１の左右両側には、後輪用のタイヤハウス５，５が形成されている。
【００２２】
上記第１の後席シート１１は、上記後部サイドドア３と車両前後方向に対応する位置に設けられていて、車幅方向に配置された１対の座席シート１２，１２からなっている。この各座席シート１２は、シートクッション１３と、このシートクッション１３に対してリクライニング可能なシートバック１４と、このシートバック１４の上面に着脱可能なヘッドレスト１５とを有している。すなわち、この各ヘッドレスト１５の下面には、図３に示すように、２本のステー１５ａ，１５ａが突設され、この各ステー１５ａが上記シートバック１４の上面に設けた２つの差込口１４ａ，１４ａに挿入されてヘッドレスト１５が装着可能とされている一方、片側の差込口１４ａ近傍に設けたロックノブ１４ｂの操作によりヘッドレスト１５をシートバック１４の上面から外すことができるようになっている。
【００２３】
上記両座席シート１２，１２のうちの後部サイドドア３側に配置された座席シート１２の下側のフロアには、車幅方向に延びる前後２本の車幅方向スライドレール１７，１７が固定され、この各車幅方向スライドレール１７に案内されてその座席シート１２は車幅方向にスライド可能となるように構成されている。また、この後部サイドドア３側の座席シート１２は前後方向にもスライド可能に構成されている。すなわち、図２に示すように、上記各車幅方向スライドレール１７には、後部サイドドア３側の座席シート１２の左右両側部に対応して略コ字状の２つのストライカー１８，１８（図２では１つのみを示す）が該各車幅スライドレール１７に対してスライド可能にそれぞれ設けられている。この各ストライカー１８には上下方向に延びるベース板１９が連結され、このベース板１９の側方には略Ｌ字状の支持板２０が固定されている。この支持板２０の先端部上面には、前後方向に延びる前後方向スライドレール２１が固定され、この前後方向スライドレール２１には、シートクッション１３を支持するシートクッションフレーム２３に固定されたスライダー２２が該前後方向スライドレール２１に対してスライド可能に設けられている。上記支持板２０及びスライダー２２の側方には、外部から内部機構が見えないようにカバー２４，２５がそれぞれ取り付けられている。尚、上記後部サイドドア３側の座席シート１２の左右両側部に位置する各ベース板１９は、車幅方向に延びる剛性部材２６により互いに結合されている。
【００２４】
一方、後部サイドドア３と反対側の座席シート１２は、車幅方向にはスライド不能であるが、上記後部サイドドア３の座席シート１２とは独立して前後方向にスライド可能に構成されている。
【００２５】
そして、上記第１の後席シート１１における後部サイドドア３側の座席シート１２を後部サイドドア３側にスライドさせることで、両座席シート１２，１２間に乗員が通行可能な空間（所謂ウォークスルー空間）が車幅方向にあくように構成されている一方、後部サイドドア３側の座席シート１２を他方の座席シート１２側にスライドさせることで、その後部サイドドア３側の座席シート１２と後部サイドドア３との間に、乗員が通行可能な空間が車幅方向にあくようになされている。
【００２６】
上記運転席シート３１及び助手席シート３６は、その間を乗員が通行可能なように車幅方向に空間を空けて設けられていて、上記第１の後席シート１１の両座席シート１２，１２と同様に、各々、シートクッション３２，３７と、このシートクッション３２，３７に対してリクライニング可能なシートバック３３，３８と、このシートバック３３，３８の上面に着脱可能なヘッドレスト３４，３９とを有している。尚、上記運転席シート３１及び助手席シート３６は、上記後部サイドドア３と反対側の座席シート１２と同様に、前後方向にスライド可能に構成されている。
【００２７】
上記第２の後席シート４１は、両タイヤハウス５，５間に配置されていて、シートクッション４２と、このシートクッション４２に対してリクライニング可能なシートバック４３と、このシートバック４３の上面に２つのヘッドレスト４４，４４とを有し、２人の乗員が着座可能とされている。
【００２８】
上記第１の後席シート１１の各座席シート１２は、そのヘッドレスト１５を取り外した状態でシートバック１４をシートクッション１３に対してリクライニングすることでフルフラット状態となるように構成されている。また、後部サイドドア３側の座席シート１２におけるシートクッション１３の後部サイドドア３側の側面には、図２に示すように、この両座席シート１２，１２の両シートバック１４，１４から取り外した２つのヘッドレスト１５，１５が着脱可能な装着部としての４つの装着口１３ａ，１３ａ，…が前後方向に並んで設けられている。すなわち、上記各装着口１３ａは、各ヘッドレスト１５の各ステー１５ａが挿入可能なように設けられ、この各装着口１３ａに対応して上記スライダー２２及びカバー２４には上記各ステー１５ａが略嵌合して貫通する貫通孔２２ａ，２４ａがそれぞれ形成されている。そして、各ヘッドレスト１５は、図４に示すように、上記後部サイドドア３側の座席シート１２を他方の座席シート１２側にスライドさせて両座席シート１２，１２を当接させた状態で、各座席シート１２のシートバック１４に装着されているときの車幅方向が前後方向となりかつ互いに前後方向に略密着するようにシートクッション１３に装着されるようになっている。また、そのシートクッション１３に装着された両ヘッドレスト１５，１５の前後方向のトータル長さは、シートクッション１３と略対応（一致）している。さらに、シートクッション１３に装着された各ヘッドレスト１５の後部サイドドア３側の端面における車幅方向の位置は、該第１の後席シート１１の直ぐ前に位置する助手席シート３６におけるシートバック３８の後部サイドドア３側の側面と略対応している。つまり、上方から見たときに、各ヘッドレスト１５の後部サイドドア３側の端面ラインと、助手席シート３６におけるシートバック１４の後部サイドドア３側の側面ラインとが略一致するようになされている。
【００２９】
上記運転席シート３１及び助手席シート３６は、上記第１の後席シート１１と同様に、その各ヘッドレスト３４，３９を取り外した状態で各シートバック３３，３８を各シートクッション３２，３７に対してリクライニングすることでフルフラット状態となるように構成されている。また、第１の後席シート１１と同様に、この取り外した２つのヘッドレスト３４，３９が助手席シート３６のシートバック３８の運転席シート３１側の側面に着脱可能となるように各ヘッドレスト３４，３９の各ステー３４ａ，３９ａが挿入可能になされており、両ヘッドレスト３４，３９は、シートバック３３，３８の上面に装着されているときの車幅方向が前後方向となりかつフルフラット時に互いに前後方向に略密着するように助手席シート３６のシートバック３８の側面に装着されるようになっている（図４参照）。
【００３０】
上記第２の後席シート４１は、２つのヘッドレスト４４，４４をシートバック４３の上面に取り付けた状態であっても、リクライニングすることでフルフラット状態とすることができるように構成されている。
【００３１】
上記運転席シート３１、助手席シート３６、第１の後席シート１１の両座席シート１２，１２及び第２の後席シート４１を全てリクライニングしてフルフラット状態にすると、図４に示すように、各シート１２，３１，３６，４１及び各ヘッドレスト１５，３４，３９が前後方向に連続的に繋がるようになっている。
【００３２】
以上の構成からなる車両用シート装置において第１の後席シート１１の両座席シート１２，１２をフルフラット状態にするには、先ず、後部サイドドア３側にある一方の座席シート１２を他方の座席シート１２に当接するまで車幅方向にスライドさせる。そして、各座席シート１２のヘッドレスト１５をロックノブ１４ｂの操作によりシートバック１４から外した後、各シートバック１４を各シートクッション１３に対してリクライニングさせる。次いで、後部サイドドア３を開けた状態で上記各ヘッドレスト１５の各ステー１５ａを、後部サイドドア３側の座席シート１２におけるシートクッション１３の後部サイドドア３側の側面に設けた各装着口１３ａから挿入し、スライダー２２及びカバー２４の各貫通孔２２ａ，２４ａを貫通させることで、各ヘッドレスト１５をシートクッション１３に装着する。尚、各シートバック１４をリクライニングさせる前に、各ヘッドレスト１５をシートクッション１３に装着するようにしてもよい。
【００３３】
上記各ヘッドレスト１５のシートクッション１３への装着時に、第１の後席シート１１が後部サイドドア３と前後方向に対応する位置に設けられているので、後部サイドドア３が開けられた状態では、装着の障害となるものはシートクッション１３の側方にはなく、その側方から各ヘッドレスト１５を容易に装着することができる。また、後部サイドドア３側の座席シート１２は前後方向にスライド可能であるので、装着し易い位置にスライドして調整することもできる。
【００３４】
一方、フルフラット状態でない通常時には、後部サイドドア３側の座席シート１２を後部サイドドア３側に移動させておくことで、両座席シート１２，１２間にウォークスルー空間を設けることができ、また、運転席シート３１及び助手席シート３６間にもウォークスルー空間が設けられているので、全乗員が車室内全体を容易に移動することができる。さらに、フルフラット時と同様に、後部サイドドア３側の座席シート１２を他方の座席シート１２に当接させておくことで、第１及び第２の後席シート１１，４１の乗員の後部サイドドア３からの乗降を行い易くすることができる。そして、この場合でも、後部サイドドア３側の座席シート１２と後部サイドドア３との間にウォークスルー空間を設けることができ、全乗員が車室内全体を移動することができる。
【００３５】
また、運転席シート３１及び助手席シート３６をフルフラット状態とするには、各ヘッドレスト３４，３９を各シートバック３３，３８上面から外した後、運転席シート３１のシートバックを先にリクライニングさせて運転席シート３１がフルフラット状態となるようにしておく。すなわち、各ヘッドレスト３４，３９を助手席シート３６のシートバック３８における運転席シート３１側の側面に装着する際に運転席シート３１のシートバック３３が障害となるため、運転席シート３１のシートバック１４を助手席シート３６のシートバック３８の側方に位置しないようにする。そして、上記各ヘッドレスト３４，３９を助手席シート３６のシートバック３３側面にその側方から装着し、その後、そのシートバック３３をリクライニングさせて助手席シート３６がフルフラット状態となるようにする。
【００３６】
以上のようにして運転席シート３１、助手席シート３６、第１の後席シート１１の両座席シート１２，１２及び第２の後席シート４１を全てリクライニングしてフルフラット状態にすると、各シート１２，３１，３６，４１及び各ヘッドレスト１５，３４，３９が前後方向に連続的に繋がり、車室内の略全体にフルフラット部分を形成することができる。そして、第１の後席シート１１の後部サイドドア３側の座席シート１２のシートクッション１３に装着された両ヘッドレスト１５，１５の前後方向トータル長さがシートクッション１３と略対応していると共に、その装着された各ヘッドレスト１５の後部サイドドア３側の端面における車幅方向の位置が助手席シート３６におけるシートバック３８の後部サイドドア３側の側面と略対応しているので、フルフラット面積を有効かつ最大限に拡大することができ、フルフラット部分を使い勝手の良い形状とすることができる。
【００３７】
尚、上記実施形態では、第１の後席シート１１の後部サイドドア３側にある一方の座席シート１２のみが車幅方向にスライド可能としたが、他方の座席シート１２も車幅方向にスライド可能となるように構成してもよい。こうすることで、両座席シート１２，１２を車幅方向にスライドさせることにより、第１の後席シート１１と後部サイドドア３とは反対側の車室内側面との間にもウォークスルー空間を設けるようにすることができる。また、第１の後席シート１１を、第２の後席シート４１のように分離しないで一体のものとしてもよい。この場合、第１の後席シート１１は、後部サイドドア３との間に乗員が通行可能な空間を車幅方向にあけて設けておけばよい。
【００３８】
さらに、上記実施形態では、第１の後席シート１１の後部サイドドア３側の座席シート１２におけるシートクッション１３の後部サイドドア３側の側面に、その第１の後席シート１１の両座席シート１２における２つのヘッドレスト１５，１５を装着するようにしたが、第１の後席シート１１が３つ以上のヘッドレスト１５，１５，…を有している場合には、それら全てを装着するようにしてもよい。そして、他のシートのヘッドレストを装着するようにしてもよい。
【００３９】
また、上記実施形態では、第１の後席シート１１を、運転席シート３１及び助手席シート３６と第２の後席シート４１との間に配置したが、可能であれば第２の後席シート４１を運転席シート３１及び助手席シート３６直ぐ後方に配置し、その第２の後席シート４１の後方に第１の後席シート１１を配置するようにしてもよい。この場合、第２の後席シート４１のヘッドレスト４４，４４をシートバック４３の上面から外した状態で第２の後席シート４１がフルフラット状態となるようにすると共に、第１の後席シート１１においてシートクッション１３に装着された各ヘッドレスト１５の後部サイドドア３側の端面における車幅方向の位置を、該第１の後席シート１１の直ぐ前に位置する第２の後席シート４１におけるシートバック４３の後部サイドドア３側の側面と略対応するように構成することが望ましい。
【００４０】
【発明の効果】
以上説明したように、請求項１の発明によると、サイドドアと車両前後方向に対応する位置に、該サイドドアとの間に乗員が通行可能な空間を車幅方向にあけて設けられた第１の後席シートを備え、この第１の後席シートのヘッドレストを取り外した状態でシートバックをシートクッションに対してリクライニングすることで第１の後席シートがフルフラット状態となるようにした車両用シート装置に対して、上記サイドドアを、車両前後方向にスライドさせて開閉を行うスライドドアとし、上記第１の後席シートのシートクッションにおける上記サイドドア側の側面に、上記ヘッドレストが車幅方向に着脱可能な装着部を設けたことにより、通常時の乗降空間及びウォークスルー空間を確保しつつ、フルフラット時のヘッドレストの装着性の向上化とフルフラット面積の十分な拡大化とを図ることができる。
【００４１】
請求項２の発明によると、第１の後席シートは、車幅方向に配置された１対の座席シートからなり、この第１の後席シートの少なくともサイドドア側にある一方の座席シートを、他方との間に乗員が通行可能な空間が車幅方向にあくように車幅方向にスライド可能に構成したことにより、ウォークスルー空間の設定場所の自由度の増大化を図ることができる。
【００４２】
請求項３の発明によると、第１の後席シートを、運転席シート又は助手席シートの直ぐ後方に配置し、上記第１の後席シートの後方に第２の後席シートを設けたことにより、第１の後席シートとサイドドアとの間又は第１の後席シートの両座席シート間にウォークスルー空間を設けることの意義をさらに高めることができる。
【００４３】
請求項４の発明によると、第１の後席シートを、前後方向にスライド可能に構成したことにより、ヘッドレストのシートクッションへの装着と後席シートの乗員のサイドドアからの乗降とをより一層容易にすることができる。
【００４４】
請求項５の発明によると、第１の後席シートのシートクッションに対して少なくとも２つのヘッドレストを装着可能に構成したことにより、フルフラット面積をより一層有効に拡大することができる。
【００４５】
請求項６の発明によると、ヘッドレストを、第１の後席シートのシートバックに装着されているときの車幅方向が前後方向となりかつ互いに前後方向に略密着するようにシートクッションに装着し、上記シートクッションに装着されたヘッドレストの前後方向のトータル長さを、該シートクッションと略対応するようにしたことにより、フルフラット面積を有効かつ最大限に拡大することができる。
【００４６】
請求項７の発明によると、シートクッションに装着されたヘッドレストのサイドドア側の端面における車幅方向の位置を、該第１の後席シートの直ぐ前に位置するシートにおけるシートバックのサイドドア側の側面と略対応するようにしたことにより、第１の後席シートの直ぐ前に位置するシートをもフルフラット状態にすることで、フルフラット部分の使い勝手性を向上させることができる。
【図面の簡単な説明】
【図１】  本発明の実施形態に係る車両用シート装置が搭載された車両全体を模式的に示す車室内の平面図である。
【図２】  後部サイドドア側に配置された座席シート（第１の後席シート）のシートクッションにおける後部サイドドア側部分を車幅方向に沿って切断した断面図である。
【図３】  ヘッドレストがシートバックの上面に装着されている状態を示す斜視図である。
【図４】  全てのシートをフルフラットにした状態を示す図１相当図である。
【符号の説明】
３  後部サイドドア
１１  第１の後席シート
１２  座席シート
１３  シートクッション
１３ａ  装着口（装着部）
１４  シートバック
１５  ヘッドレスト
１７  車幅スライドレール
３１  運転席シート
３６  助手席シート
４１  第２の後席シート
【図１】
0004062761.tif 000002
【図２】
0004062761.tif 000003
【図３】
0004062761.tif 000004
【図４】
0004062761.tif 000005